(57)【要約】【課題】パンクの発生を良好に防止することができながら、タイヤへの装着作業も良好に行うことができるタイヤのパンク防止用部材および車輪組立体を提供する。【解決手段】二輪車用のタイヤの内周面におけるタイヤ半径方向外方寄り部分とチューブの外周面との間で環状に配設されるタイヤのパンク防止用部材であって、繊維に樹脂またはゴムを含浸または被覆させて繊維基体１３が形成され、前記繊維基体１３の内周側に、緩衝材１４が配設されている。これにより、繊維基体１３の皺がない状態に保持できたパンク防止用部材５を得ることができ、このパンク防止用部材５を、タイヤの内周面に沿って、皺がない状態で、容易かつ良好に装着することができる。また、チューブとは緩衝材１４が接した状態で配設されるので、内部摩擦によりチューブがパンクすることを最小限に抑えることができる。【選択図】図２
2009051265.tif 000002
【特許請求の範囲】
【請求項１】
二輪車用のタイヤの内周面におけるタイヤ半径方向外方寄り部分とチューブの外周面との間で環状に配設されるタイヤのパンク防止用部材であって、
繊維に樹脂またはゴムを含浸または被覆させて繊維基体が形成され、
前記繊維基体の内周側に、緩衝材が配設されていることを特徴とするタイヤのパンク防止用部材。
【請求項２】
繊維が、高強力かつ高弾性率のものであることを特徴とする請求項１記載のタイヤのパンク防止用部材。
【請求項３】
緩衝材が、繊維基体よりも柔らかく、かつチューブと同等もしくはチューブよりも柔らかいことを特徴とする請求項１または２に記載のタイヤのパンク防止用部材。
【請求項４】
緩衝材が、繊維基体よりも幅が広くて、繊維基体の両端部よりも緩衝材の両端部が幅方向に延びた形状であることを特徴とする請求項１〜３の何れかに記載のタイヤのパンク防止用部材。
【請求項５】
請求項１〜４の何れか１項に記載のパンク防止用部材が、二輪車用のタイヤの内周面とチューブの外周面との間に配設されていることを特徴とする車輪組立体。
【発明の詳細な説明】
【技術分野】
【０００１】
本発明は、二輪車用のタイヤがパンクすることを防止するパンク防止用部材、およびこのパンク防止用部材が組み付けられた車輪組立体に関するものである。
【背景技術】
【０００２】
一般に、自転車のタイヤは、空気が注入されるチューブを内装した状態で、車輪の内輪部分をなすリムに装着して構成される。この自転車のタイヤの、悪戯以外のパンク要因として多いものは、「刺さり物パンク」と、「乗り上げパンク（いわゆるリム打ちパンク）」と、「内部摩擦」とが挙げられる。
【０００３】
ここで、「刺さり物パンク」は、地面に落ちていた鋭利な金属やガラス片などの刺さり物が、タイヤの外周面からタイヤ内に突き刺さって、チューブに孔があき、チューブ内の空気が抜けてしまうことにより生じる。
【０００４】
「乗り上げパンク（いわゆるリム打ちパンク）」は、チューブ内の空気圧が比較的低い状態で段差部などに乗り上げた際に、チューブが段差部とリムとの間で挟まれてつぶれたような状態になるまで圧迫されてチューブに亀裂が入り、チューブ内の空気が抜けてしまうことにより生じる。
【０００５】
「内部摩擦」は、一般に硬いゴム材料等で形成されたタイヤと、柔らかいゴム材料等で形成されたチューブとが内部で互いに擦れ合って摩擦を生じ、チューブにおける摩擦部分が損傷して孔があき、チューブ内の空気が抜けてしまうことにより生じる。なお、内部摩擦は、タイヤが接地した際に大きく変形する、タイヤの内周面におけるタイヤ半径方向外方寄り部分と、これに臨むチューブの外周面との間で発生する場合が多い。
【０００６】
なお、このようにパンクした状態で、搭乗者が強引に自転車に乗って走行すると、接地面とリムとの間にタイヤと空気の抜けたチューブとが挟まれ、接地面やリムからの衝撃力が弱められることなくチューブに作用し、チューブに多数の孔があくなど、ひどく損傷して、その後の使用ができなくなる場合が多い。
【０００７】
このような自転車のタイヤのパンクを防止する方法として、二輪車用のタイヤの内周面におけるタイヤ半径方向外方寄り部分とチューブの外周面との間に、環状のタイヤのパンク防止用部材を配設する手法が既に知られている。このタイヤのパンク防止用部材として、特許文献１に、たて糸とよこ糸とからなる織物を用いた繊維材を用いたものが開示されている。なお、特許文献１に示されたパンク防止用部材では、織物のたて糸やよこ糸の一部に高剛性繊維よりなるたて糸やよこ糸を適宜の配列で配設している。
【０００８】
上記のような繊維材からなるパンク防止用部材をタイヤとチューブとの間に介装すると、タイヤを通して刺さり物が斜め方向から刺さった際に、刺さり物の先端部が前記繊維に刺さったり、繊維間の間に挟まれたりして、刺さり物がパンク防止用部材を貫通し難くなり、パンクの発生を減少させることができる。
【０００９】
しかしながら、上記のように、単に繊維を編んだ繊維材を用いただけでは、たて糸やよこ糸が、これらの糸を並べている方向に対して、位置規制されていないので、刺さり物が繊維材の面に対してほぼ直交する方向に強く刺さった場合などに、繊維同士が目ずれ（位置ずれ）することで刺さり物の進入箇所に繊維間の隙間を生じ、この隙間を通って刺さり物が侵入してチューブに達し、パンクの防止性能を十分には発揮できない問題がある。
【００１０】
また、自転車のタイヤを段差部などに乗り上げた際に、繊維同士の間が広がってしまい、この繊維の間に、タイヤを破って入り込んだ段差部の角部分が侵入してチューブに亀裂が入り、乗り上げパンクの防止機能が不十分となるおそれがある。
【００１１】
本出願人の発明者らは、これらの問題などに対処する方法として、パンク防止用部材として用いる繊維材に樹脂やゴムを被覆または含浸させることを考えだした。
このように、パンク防止用部材として、繊維材に樹脂やゴムを被覆または含浸させた繊維体を用いると、繊維同士が目ずれしないので、繊維同士の目ずれによって刺さり物が貫通することを防止できて、刺さり物パンクの発生を最小限に抑えることができる。なお、前記繊維体は、タイヤとは別体であるので、刺さり物がタイヤを貫通して内部に侵入してきた際には、繊維体がタイヤから離反してチューブ側に変形した状態となるが、このように刺さり物の刺さり具合に応じて変形することで、刺さり物パンクの発生を良好に抑えることができる。また、繊維同士の間の隙間が広がらないので、タイヤを破って入り込んだ段差部の角部分が侵入することを防止できて、乗り上げパンクの発生を抑止できる。
【特許文献１】特開平１０−１６５２３号公報
【発明の開示】
【発明が解決しようとする課題】
【００１２】
しかしながら、上記のようにパンク防止用部材として、繊維に樹脂やゴムを被覆または含浸させた繊維体を用いる場合に、この繊維体からなるパンク防止用部材をタイヤの内面に沿わせながら装着しなければならないが、この繊維体は、厚めの布形状となるため、装着時に皺が発生することが考えられ、皺を発生させないように丁寧に装着しようとすると、多くの手間や時間がかかってしまう。また、皺ができている場合には、その部分が重なって厚くなるため、チューブと擦れ易くなり、この箇所で内部摩擦が発生してチューブがパンクしてしまうおそれが高くなる。
【００１３】
また、パンク防止用部材として、上記の繊維体を用いた場合、繊維体とチューブとの接触箇所で繊維とチューブとが接触して擦れあい内部摩擦を生じることが予想され、このような内部摩擦によるパンクの発生については抑制できないおそれがある。
【００１４】
本発明は上記課題を解決するもので、パンクの発生を良好に防止することができながら、タイヤへの装着作業も良好に行うことができるタイヤのパンク防止用部材および車輪組立体を提供することを目的とするものである。
【課題を解決するための手段】
【００１５】
前記課題を解決するために、本発明のタイヤのパンク防止用部材は、二輪車用のタイヤの内周面におけるタイヤ半径方向外方寄り部分とチューブの外周面との間で環状に配設されるタイヤのパンク防止用部材であって、繊維に樹脂またはゴムを含浸または被覆させて繊維基体が形成され、前記繊維基体の内周側に、緩衝材が配設されていることを特徴とする。
【００１６】
上記構成により、繊維基体の内周側に緩衝材を配設したことで、繊維基体を皺がない状態に保持できたパンク防止用部材を得ることができ、このパンク防止用部材を、タイヤの内周面に沿って、皺がない状態で、容易かつ良好に装着することができる。また、チューブに対して繊維とは接触せずに緩衝材が接した状態で配設されるので、内部摩擦によりチューブがパンクすることを最小限に抑えることができる。
【００１７】
また、本発明のタイヤのパンク防止用部材は、繊維が、高強力かつ高弾性率のものであることを特徴とし、これにより、刺さり物が繊維自体を切断したり侵入したりして貫通することを、より確実に防止することができる。
【００１８】
また、本発明のタイヤのパンク防止用部材は、緩衝材が、繊維基体よりも柔らかく、かつチューブと同等もしくはチューブよりも柔らかいことを特徴とし、これにより、内部摩擦によりチューブがパンクすることを、より確実に防止することができる。
【００１９】
また、本発明のタイヤのパンク防止用部材は、緩衝材が、繊維基体よりも幅が広くて、繊維基体の両端部よりも緩衝材の両端部が幅方向に延びた形状であることを特徴とする。
この構成により、パンク防止用部材を装着した際に、繊維基体の両端部側面が幅広の緩衝材によって覆われるようにして配設されて、比較的硬い繊維基体の両端部側面がチューブに接触することを確実に防止でき、この結果、内部摩擦によりチューブがパンクすることを、一層確実に防止できる。
【００２０】
また、本発明の車輪組立体は、上記特徴を有するパンク防止用部材が、二輪車用のタイヤの内周面とチューブの外周面との間に配設されていることを特徴とする。
【発明の効果】
【００２１】
以上のように本発明によれば、タイヤのパンク防止用部材として、繊維に樹脂またはゴムを含浸または被覆させた繊維基体を用いることで、繊維同士の目ずれ（位置ずれ）を防止できて、刺さり物パンクや乗り上げパンクの発生を良好に抑止することができる上に、繊維基体の内周側に緩衝材を配設したことで、繊維基体を皺がない状態に保持できて、このパンク防止用部材を、タイヤの内周面に沿って、皺がない状態で、容易かつ良好に装着することができ、パンク防止用部材の装着作業も能率的に行うことができる。また、チューブには緩衝材が接触することになるので、内部摩擦によりチューブがパンクすることを最小限に抑えることができ、パンク防止機能に対する信頼性をさらに向上させることができる。
【００２２】
また、繊維基体の繊維として、高強力かつ高弾性率のものを用いることで、パンクの防止機能を一層高めることができる。
また、緩衝材として、繊維基体よりも幅が広くて、繊維基体の両端部よりも緩衝材の両端部が幅方向に延びた形状のものを用いることで、比較的硬い繊維基体の両端部側面がチューブに接触することを防止できて、内部摩擦によるチューブのパンクを、より確実に防止でき、信頼性を一層向上させることができる。
【発明を実施するための最良の形態】
【００２３】
以下、本発明の実施の形態を図面に基づき説明する。
図１は本発明の実施の形態に係る車輪組立体の断面図（タイヤ軸を含む横断面）、図２（ａ）は本発明の実施の形態に係るパンク防止用部材の単体の全体側面図、図２（ｂ）および（ｃ）はパンク防止用部材の断面図（タイヤ軸を含む横断面）および拡大断面図、図３（ａ）〜（ｅ）は同パンク防止用部材の繊維基体の平面図、断面図、拡大平面図、拡大断面図および全体側面図、図４は車輪組立体の刺さり物が刺さった状態を示す断面図、図５は同車輪組立体のパンク状態の断面図（なお、図５のみ接地面が下方となるように示している）である。
【００２４】
図１に示すように、車輪組立体１は、図示しない車軸およびスポークに取り付けられた、内輪部分をなすリム２に、ゴム製のタイヤ３の内周端部分であるビード部３ａが嵌め込まれて構成されており、このリム２とタイヤ３とで構成される内部空間に、空気が注入されるゴム製のチューブ４と本発明の実施の形態に係るパンク防止用部材５とが内装される。パンク防止用部材５は、二輪車の一例としての自転車用のタイヤ３の内周面におけるタイヤ半径方向外方寄り部分３ｂとチューブ４の外周面との間に配設されている。なお、タイヤ３としては硬質のゴム材料が用いられ、チューブ４としては軟質のゴム材料が用いられている。また、図１における３ｃはタイヤ３のクラウン部である。
【００２５】
図２（ａ）に示すように、パンク防止用部材５の全体形状は、側面視して環状とされている。また、図３（ａ）〜（ｅ）に示すように、パンク防止用部材５は、それぞれ高強力・高弾性率の繊維（高強力繊維と称す）１１（詳しくは、それぞれ高強力・高弾性率のたて糸１１ａとよこ糸１１ｂとを編んだもの）にゴム１２（または樹脂）を含浸（または被覆（コーティング））させて繊維基体１３を形成し、図２（ａ）（ｂ）に示すように、この繊維基体１３の内周側に、緩衝材１４を配設して構成されている。
【００２６】
ここで、高強力繊維１１としては、アラミド繊維や、ポリエチレン繊維、ポリアリレート繊維、ＰＶＡ繊維（ポリビニルアルコールを成分とする合成繊維）、ＰＢＯ繊維（ポリパラフェニレンベンゾビスオキサザール繊維）等が好ましい。また、含浸または被覆するゴムとしてはＮＢＲ（ニトリルブタジエンゴム）やＮＲ（天然ゴム）がよい。また、ラテックス（水溶性エマルジョン）を含浸（浸漬（ディッピング））させてもよい。樹脂をコーティング（被覆）する場合には、被覆材料としてはＰＵ（ポリウレタン）やＰＶＣ（ポリ塩化ビニル）を用いることができる。
【００２７】
繊維基体１３の製造方法としては、高強力繊維１１をゴム１２（または樹脂）を含浸（または被覆）した後に、帯状に切断し、端部同士を接合して環状にする。この際の接合工程では接着剤を用いてもよいし、縫製などで機械的に結合してもよい。また、含浸させる材料によっては、端部同士を溶着させることもできる。
【００２８】
また、緩衝材１４として未発泡材料を用いる場合には、ゴム焼き（加硫成型）したゴムや、押出し成型したエラストマーを用いると好適であり、また、発泡倍率の低い（２〜１０倍）ゴムスポンジや発泡ウレタンを用いてもよい。また、二液性のウレタンなどを使用して、環状の金型に注型して成型することも可能である。また、発泡材料を用いる場合に、ゴム焼き（加硫成型）した発泡ゴムを切断して環状にしたり、押出し成型したりしてもよい。なお、緩衝材１４は、繊維基体１３よりも柔らかく、かつチューブ４と同等もしくはチューブ４よりも柔らかい材質のものが用いられ、ショアーＡ硬度で１０〜６０と、柔らかいものがよい。
【００２９】
そして、繊維基体１３の片面に接着剤を塗布し、緩衝材１４（例えば加硫成型したゴムシート）に貼ることでパンク防止用部材５を形成する。この際に、緩衝材１４として円環状のものを用いてもよいし、帯状のものを用いてもよい。また、緩衝材１４としての未加硫ゴムを繊維基体１３にトッピングして、タイヤ３の内周面に沿い易いように、ゴム内圧成型により半円形状に形成するなどして繊維基体１３の表面にゴム層などの緩衝材１４を作製してもよい。
【００３０】
なお、この実施の形態では、パンク防止用部材５は、図２（ｃ）に示すように、外力を受けていない自然放置状態（チューブ４からの力を受けていない状態（パンク状態を含む））の、横断面の形状が略台形形状となるように形成されている。すなわち、パンク防止用部材５の内周平面部５ｂが外周平面部５ａおよびリム２よりも幅広であり、内周平面部５ｂと外周平面部５ａとが、外周平面部５ａの両端部から両側方に傾斜して広がるような傾斜面部５ｃを介して接続された形状とされている。そして、外周平面部５ａと傾斜面部５ｃとの露出面部分が、繊維基体１３で構成されている。
【００３１】
上記構成により、パンク防止用部材５として、繊維１１に樹脂またはゴム１２を含浸または被覆させた繊維基体１３を用いて、この繊維基体１３を、タイヤ３の内周面におけるタイヤ半径方向外方寄り部分に臨む、パンク防止用部材５の外周面側に配設しているので、繊維同士が目ずれせず、この目ずれによって刺さり物が貫通することを防止できる。すなわち、樹脂またはゴム１２によって、繊維１１同士の相対位置が固定される（すなわち、樹脂またはゴム１２が、隣り合う繊維１１同士の相対位置を固定する固定材として機能する）ので、繊維１１同士の間の隙間が広がることがなく、刺さり物Ｓが繊維１１自体を破壊（切断）しない限り、目ずれによって刺さり物Ｓが繊維基体１３を突き抜けることを防止できる。また、パンク防止用部材５は、タイヤ３とは別体（分離可能）であるため、図４に示すように、刺さり物Ｓがタイヤ３を貫通して内部に侵入してきた際でも、繊維基体１３がタイヤ３の内周面におけるタイヤ半径方向外方寄り部分３ｂから離反してチューブ４側に変形するだけで済み、刺さり物Ｓがチューブ４に達することを防止できて、刺さり物Ｓによるパンクの発生を良好に防止できる。なお、繊維基体１３の繊維として高強力・高弾性率の繊維（高強力繊維）１１を用いることで、刺さり物Ｓが繊維自体を切断したり侵入したりして貫通することを、より確実に防止することができる。
【００３２】
また、自転車のタイヤ３が、接地面に形成された段差部などに乗り上げた際でも、繊維１１同士の固定材として機能する樹脂またはゴム１２により、繊維１１同士が目ずれしてこれらの間の隙間が広がることが防止されるので、繊維１１の間に、タイヤ３を破って入り込んだ段差部の角部分が侵入することを低減することができる。しかも、繊維基体１３の内周側に緩衝材１４が配設されているので、チューブ４が、タイヤ３および繊維基体１３と、リム２との間に強く挟み込まれて圧迫される作用が緩和され、この結果、乗り上げパンク（いわゆるリム打ちパンク）の発生を最小限に抑えることができる。
【００３３】
さらに、チューブ４は、繊維基体１３ではなくて、緩衝材１４に接した状態で配設されるので、緩衝材１４としてチューブ４よりも柔らかいものを用いることで、チューブ４と緩衝材１４とが擦れた場合でも、緩衝材１４がすり減ることがあっても、チューブ４は損傷し難くなる。この結果、内部摩擦によりチューブ４がパンクすることを低減できる。
【００３４】
また、万一、何らかの原因でチューブ４に孔があくなどして空気が抜けてパンクした場合でも、図５に示すように、パンク防止用部材５の緩衝材１４上にチューブ４が載った状態となり、パンクしたチューブ４を下方からパンク防止用部材５の緩衝材１４で受けることができるので、接地面からの振動や衝撃が緩衝材１４で緩和されてチューブ４に伝達されにくくなり、一時的に自転車を走行させることが可能となる。
【００３５】
また、上記実施の形態においては、パンクしてチューブ４から空気が抜けてしまった場合でも、図５に示すように、接地面８の部分近傍箇所では、タイヤ３におけるパンク防止用部材５の外周平面部５ａに対応する箇所が略平面形状となっているので、比較的広い面積で安定して接地でき、パンクした状態で一時的に走行する際でも安定した状態で走行できる利点もある。
【００３６】
さらに本発明では特に、繊維基体１３の内周側に緩衝材１４を配設したことで、パンク防止用部材５をタイヤ３に組み付ける前の単体製品である状態では、繊維基体１３が内周側から緩衝材１４で支持され、パンク防止用部材５として円環形状など、良好な形状に保持でき、かつ、繊維基体１３を皺がない状態に保持できる。したがって、自転車の組立時（タイヤ交換時の組立時を含む）などに、パンク防止用部材５をタイヤ３の内周側に装着する際でも、この装着作業を容易かつ能率的に行うことができる。また、皺がない良好な状態でタイヤ３の内周側に装着することができるので、皺の発生に起因する内部摩擦を発生してパンクを生じることがなくなり、良好な信頼性を維持できる。
【００３７】
なお、上記の実施の形態では、パンク防止用部材５の断面形状が略台形形状となるように形成されている場合を述べたが、これに限るものではなく、図６（ａ）、（ｂ）に示すように、繊維基体１３および緩衝材１４とも平板形状であったり、繊維基体１３は平板形状で、緩衝材１４は、両端部が薄肉状となるような傾斜面１４ａを有する形状であったりしてもよい。
【００３８】
さらに、上記の実施の形態では、繊維基体１３と緩衝材１４とが同じ幅である場合を述べたが、これに限るものではなく、図７に示すように、緩衝材１４が、繊維基体１３よりも幅が広くて、繊維基体１３の両端部よりも緩衝材１４の両端部が幅方向に延びた形状に形成してもよい。なお、緩衝材１４の幅方向の各端部が、繊維基体１３の各端部よりも、幅方向寸法Ａで２ｍｍ以上大きいと、より好適である。
【００３９】
この構成により、パンク防止用部材５を装着した際に、比較的硬い材質からなる繊維基体１３の両端部側面が、柔らかで幅広の緩衝材１４によって覆われるように配設されて、比較的硬い繊維基体１３の両端部側面がチューブ４に接触することを確実に防止できる。この結果、内部摩擦によりチューブ４がパンクすることを一層確実に防止でき、信頼性をさらに向上させることができる。
【００４０】
また、何れの場合においても、緩衝材１４の厚みは、０．３〜１０ｍｍが好適であり、厚みが０．３ｍｍ以上あることで、パンク防止用部材５を形成した際に、その全体形状が良好に保たれ、装着しやすい。また、緩衝材１４の厚みを１０ｍｍ以下とすることで、チューブ４による弾力性能の低下を抑えることができる。
【産業上の利用可能性】
【００４１】
上記実施の形態では、パンク防止用部材が装着される車輪組立体が、二輪車の一例としての自転車用である場合を述べたが、これに限るものではなく、バイクやオートバイなどの自動二輪車用としても適用可能である。
【図面の簡単な説明】
【００４２】
【図１】本発明の実施の形態に係る車輪組立体の断面図（タイヤ軸を含む横断面）
【図２】（ａ）は本発明の実施の形態に係るパンク防止用部材の全体側面図、（ｂ）および（ｃ）は同パンク防止用部材の断面図（タイヤ軸を含む横断面）および拡大断面図
【図３】（ａ）〜（ｅ）は同パンク防止用部材の繊維基体の平面図、横断面図、拡大平面図、拡大断面図、および全体側面図
【図４】本発明の実施の形態に係る車輪組立体に刺さり物が刺さった状態を示す断面図
【図５】同車輪組立体のパンク状態の断面図
【図６】（ａ）および（ｂ）はそれぞれ同パンク防止用部材の変形例の断面図
【図７】同パンク防止用部材の他の変形例の断面図
【符号の説明】
【００４３】
１      車輪組立体
２      リム
３      タイヤ
４      チューブ
５      パンク防止用部材
１１    繊維（高強力繊維）
１２    ゴム（固定材）
１３    繊維基体
１４    緩衝材
Ｓ      刺さり物
【図１】
2009051265.tif 000003
【図２】
2009051265.tif 000004
【図３】
2009051265.tif 000005
【図４】
2009051265.tif 000006
【図５】
2009051265.tif 000007
【図６】
2009051265.tif 000008
【図７】
2009051265.tif 000009